(57)【要約】【課題】蓄積性蛍光体パネルを収容する位置関係記録用カセッテにおいて、可視光下において位置確認放射線の照射位置と位置確認光の照射位置との位置関係を蓄積性蛍光体パネル中により正確に記録させる。【解決手段】赤色の光を遮断し、位置確認放射線Ｘｃ、一様放射線Ｘｂ、および青色の位置確認光Ｌｐを透過させるフィルタ窓１６を備えた位置関係記録用カセッテ１５に蓄積性蛍光体パネル１０を収容する。可視光である赤色の光を発する室内照明灯６１下において所定の位置に配置された蓄積性蛍光体パネル１０に対して、位置確認放射線Ｘｃの照射と、この位置確認放射線Ｘｃが照射された蓄積性蛍光体パネル１０上の領域を含む範囲への一様放射線Ｘｂの照射と、青色の位置確認光Ｌｐの照射とをこの順に行なって、蓄積性蛍光体パネル１０中に、位置確認放射線Ｘｃの照射位置と位置確認光Ｌｐの照射位置との位置関係を記録させる。【選択図】          図１
2004294507.tif 000002
【特許請求の範囲】
【請求項１】
所定の位置に配置された蓄積性蛍光体パネルに対して、位置確認放射線の照射と、該位置確認放射線が照射された前記蓄積性蛍光体パネル上の領域を含む範囲への一様放射線の照射と、可視波長領域の位置確認光の照射とを行なうとともに、前記位置確認光の照射を前記一様放射線の照射より後に行なって、前記位置確認放射線の照射位置と前記位置確認光の照射位置との位置関係を前記蓄積性蛍光体パネル中に記録する際に使用される、前記蓄積性蛍光体パネルを収容する位置関係記録用カセッテであって、
前記位置確認放射線の少なくとも一部、前記一様放射線の少なくとも一部、および前記位置確認光の少なくとも一部を透過させ可視波長領域中の一部の波長領域の光を遮断するフィルタ窓を有することを特徴とする位置関係記録用カセッテ。
【請求項２】
所定の位置に配置された蓄積性蛍光体パネルに対して、位置確認放射線の照射後に、可視波長領域の位置確認光の照射を行なって、前記位置確認放射線の照射位置と前記位置確認光の照射位置との位置関係を前記蓄積性蛍光体パネル中に記録する際に使用される、前記蓄積性蛍光体パネルを収容する位置関係記録用カセッテであって、
前記位置確認放射線の少なくとも一部、および前記位置確認光の少なくとも一部を透過させ可視波長領域中の一部の波長領域の光を遮断するフィルタ窓を有することを特徴とする位置関係記録用カセッテ。
【発明の詳細な説明】
【０００１】
【発明の属する技術分野】
本発明は、位置関係記録用カセッテに関し、詳しくは、放射線が照射される位置を確認する際に使用される位置関係記録用カセッテに関するものである。
【０００２】
【従来の技術】
従来より、放射線を病巣部に集中照射して治療を行なう放射線治療装置が知られている（例えば、特許文献１、非特許文献１参照）。このような装置においては、治療用放射線の伝播路と同じ経路を伝播するように設定された位置確認光を用い、この位置確認光の光路上に病巣部が配置されるようにこの病巣部の位置を調節した後に、上記治療用放射線を照射することにより、この治療用放射線が病巣部に正確に照射されるようにしている。
【０００３】
また、治療用放射線を病巣部に照射する際に許容される照射位置のずれは数ｍｍであり、例えば装置が稼動される度に、治療用放射線の伝播路に対する位置確認光の光路のずれ（以後、光路位置ずれという）が放射線治療に支障がない許容範囲内であることを確認している。
【０００４】
上記光路位置ずれが許容範囲内であることの確認は、例えば、中央部に孔を開けたＸ線フィルムを用意し、この孔位置が上記位置確認光の光束の中心位置に合致するように上記Ｘ線フィルムを目視で位置合わせして配置した後、治療用放射線と同じ伝播路を伝播する位置確認放射線を上記Ｘ線フィルムに照射し、その後、このＸ線フィルムを現像して上記孔位置と位置確認放射線が照射された位置との位置関係を読み取ることにより行なわれている。なお、この光路位置ずれの確認作業は室内光を点灯した状態、すなわち可視光下で行なわれている。
【０００５】
【特許文献１】
実用新案登録第２５９３４１２号公報
【０００６】
【非特許文献１】
図解  診療放射線技術実践ガイド（２００２）  株式会社文光堂
【０００７】
【発明が解決しようとする課題】
ところで、上記光路位置ずれが数ｍｍ以下であることを保証するためにはこの値より１桁小さい精度でこの光路位置ずれを測定することが望まれるが、上記Ｘ線フィルムの孔位置と位置確認光の光束の中心位置との位置合わせを正確に行なおうとすると作業が煩雑となり、放射線治療の作業効率が低下するとともに、光路位置ずれの測定における信頼性が不十分になるという問題がある。また、上記光路位置ずれの測定作業を暗所で行なうようにした場合には作業効率が低下してしまう虞があるため、この測定作業を可視光下で行ないたいという要請がある。
【０００８】
本発明は、上記事情に鑑みてなされたものであり、可視光下において位置確認放射線の照射位置と位置確認光の照射位置との位置関係を蓄積性蛍光体パネル中により容易にかつ正確に記録させることができる、上記蓄積性蛍光体パネルを収容する位置関係記録用カセッテを提供することを目的とするものである。
【０００９】
【課題を解決するための手段】
本発明の第１の位置関係記録用カセッテは、所定の位置に配置された蓄積性蛍光体パネルに対して、位置確認放射線の照射と、この位置確認放射線が照射された蓄積性蛍光体パネル上の領域を含む範囲への一様放射線の照射と、可視波長領域の位置確認光の照射とを行なうとともに、前記位置確認光の照射を前記一様放射線の照射より後に行なって、位置確認放射線の照射位置と位置確認光の照射位置との位置関係を蓄積性蛍光体パネル中に記録する際に使用される、前記蓄積性蛍光体パネルを収容する位置関係記録用カセッテであって、位置確認放射線の少なくとも一部、一様放射線の少なくとも一部、および位置確認光の少なくとも一部を透過させ可視波長領域中の一部の波長領域の光を遮断するフィルタ窓を有することを特徴とするものである。
【００１０】
本発明の第２の位置関係記録用カセッテは、所定の位置に配置された蓄積性蛍光体パネルに対して、位置確認放射線の照射後に、可視波長領域の位置確認光の照射を行なって、前記位置確認放射線の照射位置と前記位置確認光の照射位置との位置関係を蓄積性蛍光体パネル中に記録する際に使用される、前記蓄積性蛍光体パネルを収容する位置関係記録用カセッテであって、位置確認放射線の少なくとも一部、および位置確認光の少なくとも一部を透過させ可視波長領域中の一部の波長領域の光を遮断するフィルタ窓を有することを特徴とするものである。
【００１１】
上記位置関係記録用カセッテは、例えば、生体等の被写体の放射線像を記録する際に使用される、蓄積性蛍光体パネルを収容するカセッテを兼用するものとしてもよい。
【００１２】
なお、前記位置確認放射線および位置確認光は、蓄積性蛍光体パネルに記録されたときに互いの位置関係を比較できるように、それぞれ放射線照射手段および確認光照射手段から照射されるものであり、例えば、蓄積性蛍光体パネルにおける位置確認放射線の記録領域および位置確認光の記録領域それぞれの中心位置が確認できたり、あるいは、上記それぞれの記録領域の相対的な傾きが確認できることが望ましい。
【００１３】
【発明の効果】
本発明の位置関係記録用カセッテは、位置確認放射線の照射位置と位置確認光の照射位置との位置関係を記録する蓄積性蛍光体パネルを収容する位置関係記録用カセッテであって、位置確認放射線の少なくとも一部、一様放射線の少なくとも一部、および位置確認光の少なくとも一部を透過させるとともに、可視波長領域中の一部の波長領域の光を遮断するフィルタ窓を有していたり、あるいは、位置確認放射線の少なくとも一部、および位置確認光の少なくとも一部を透過させるとともに、可視波長領域中の一部の波長領域の光を遮断するフィルタ窓を有していたりするので、フィルタ窓によって遮断される波長領域の可視光下において上記位置関係の記録を行なうようにすることにより、この可視光の蓄積性蛍光体への入射を抑制しつつ上記位置関係の記録作業を容易に行なうことができ、作業効率の低下を抑制することができる。
【００１４】
これとともに、蓄積性蛍光体パネル中の位置確認放射線の照射領域と位置確認光の照射領域とに互いに異なるレベルで放射線エネルギが蓄積記録され、それにより、この蓄積性蛍光体パネルから放射線像を読み取って位置確認放射線の照射位置と位置確認光の照射位置との位置関係を取得することができるので、上記位置関係の取得精度を低下させる、例えば上記Ｘ線フィルムの孔位置と位置確認光の光束の中心位置との位置合わせの調節作業等の要因を取り除くことができる。これにより上記放射線像から上記位置関係をより容易により高い精度で取得することができ、位置確認放射線に対する位置確認光の光路位置ずれが放射線治療に支障がない許容範囲内であることを確認する際の信頼性とこの確認作業の効率をより高めることができる。
【００１５】
なお、上記蓄積性蛍光体パネルは、例えば、Ｘ線等の放射線を照射するとこの放射線エネルギの一部を蓄積し、その後、可視光等の励起光を照射するとこの蓄積された放射線エネルギに応じた輝尽発光光を発生して上記放射線エネルギを放出する蓄積性蛍光体（輝尽性蛍光体）を用いた記録媒体であり、支持基板上に上記蓄積性蛍光体からなる蓄積性蛍光体層を積層して作成したもの等が知られている。
【００１６】
【発明の実施の形態】
以下、本発明の実施の形態について、図面を用いて説明する。図１は本発明の実施の形態による位置関係記録用カセッテを使用する放射線治療装置の概略構成を示す側面図、図２は本発明の実施の形態による位置関係記録用カセッテの概略構成を示す斜視図、図３は位置確認光および照明用可視光の波長領域とフィルタ窓の光透過特性との関係を示す図、図４は放射線治療装置を用いて放射線を病巣部に照射する様子を示す側面図、図５は放射線照射部と確認光照射部を示す拡大側面図、図６は光反射ミラー中に形成された、位置確認光を反射させる細長い十字形状領域を示す図である。
【００１７】
図示の放射線治療装置は、放射線の一例であるＸ線を照射する放射線照射部２０と、可視波長領域の位置確認光を照射する確認光照射部３０とを備え、所定の位置に配置された蓄積性蛍光体パネル１０に対して、放射線照射部２０による位置確認放射線Ｘｃの照射と、この位置確認放射線Ｘｃが照射された上記蓄積性蛍光体パネル１０上の領域を含む範囲への放射線照射部２０による一様放射線Ｘｂの照射と、確認光照射部３０による位置確認光Ｌｐの照射とを実行させるともに、位置確認光Ｌｐの照射を一様放射線Ｘｂの照射より後に実行させて、蓄積性蛍光体パネル１０中に、位置確認放射線Ｘｃの照射位置と位置確認光Ｌｐの照射位置との位置関係を記録させる位置関係記録手段４０とを備えている。
【００１８】
なお、上記放射線治療装置は、治療用Ｘ線を病巣部に照射する前に、この治療用Ｘ線の伝播路と同じ経路を伝播するように設定された可視波長領域の位置確認光を照射して上記病巣部の位置がこの位置確認光の光路上に配置されるように位置合わせを行なうものであり、上記治療用Ｘ線と上記位置確認放射線Ｘｃとは同じ伝播路を伝播するように設定される。
【００１９】
図１および図２に示すように、本発明の実施の形態による位置関係記録用カセッテ１５は、上記位置確認放射線Ｘｃの照射位置と位置確認光Ｌｐの照射位置との位置関係を所定の位置に配置された蓄積性蛍光体パネル１０中に記録する際に使用されるカセッテであって、上記蓄積性蛍光体パネル１０を収容するものである。この位置関係記録用カセッテ１５は、位置確認放射線Ｘｃの少なくとも一部、一様放射線Ｘｂの少なくとも一部、および位置確認光Ｌｐの少なくとも一部を透過させ可視波長領域中の一部の波長領域の光である室内照明灯６１から発せられる照明用可視光Ｌｒを遮断するフィルタ窓１６を有している。
【００２０】
上記位置確認光Ｌｐの波長、照明用可視光Ｌｒの波長、フィルタ窓１６の光透過特性（光遮断特性）について図３を参照して説明する。なお、一様放射線Ｘｂの波長領域は位置確認光Ｌｐの波長領域と同じなので説明を省略する。
【００２１】
図３に示すように、位置確認光Ｌｐは、波長４３５ｎｍにピーク光強度を有する波長３８０ｎｍから４９５ｎｍに亘る青色の光であり、室内照明灯６１から発せられる照明用可視光Ｌｒは波長７００ｎｍにピーク光強度を有する波長６２５ｎｍから７８０ｎｍに亘る赤色の光である。また、フィルタ窓１６は、上記位置確認光Ｌｐの波長領域である波長３８０ｎｍから４９５ｎｍの青色の光を透過させ、照明用可視光Ｌｒの波長領域である波長６２５ｎｍから７８０ｎｍの赤色の光を遮断する光透過特性Ｔｆを有する。ここで、波長６２５ｎｍから７８０ｎｍに亘る領域がフィルタ窓１６が遮断する上記可視波長領域中の一部の波長領域となる。
【００２２】
上記放射線治療装置は、図４に示すように、患者１を載置し、この患者１を位置確認放射線Ｘｃの照射方向と直交する水平方向に移動させる載置移動部６を有するベース台５を備え、ベース台５に支持された、載置移動部６の上方に位置するアーム部７の先端に放射線照射部２０と確認光照射部３０とが配置されている。上記載置移動部６の移動により、この患者１の病巣部２が放射線照射部２０から照射される治療用Ｘ線の照射野に位置するように調節される。
【００２３】
図５の拡大図に示すように、放射線照射部２０は、電子線発生源２９で発生した電子線を伝播する伝播路２１、上記電子線を偏向する偏向マグネット２２、偏向マグネット２２で偏向された電子線の偏向マグネット２２からの出口部に設けた真空窓２３、真空窓２３を通った電子線の照射を受けてＸ線を放射するＸ線ターゲット２４、放射されたＸ線の伝播路を絞る円錐コリメータ２５と、可動コリメータ２６Ａ、２６Ｂ、および円錐コリメータ２５と可動コリメータ２６Ａ、２６Ｂとの間に配置された平坦化フィルタ２７により構成されている。平坦化フィルタ２７は、円錐コリメータ２５を通ったＸ線の線量分布を一様にするフィルタである。
【００２４】
可動コリメータ２６Ａ、２６Ｂは、それぞれ２枚のコリメータブロックから成り、これら合計４枚のコリメータブロックを上記Ｘ線の伝播路と直交する面内に移動することで、Ｘ線伝播路の断面形状が、所望の形状である病巣部と相似な形状となるようにする。すなわち、上記４枚の各コリメータブロック間の間隔を変更することでＸ線を照射する標的の形状（病巣部の形状）に合わせた照射野が設定される。
【００２５】
確認光照射部３０は、可動コリメータ２６Ａ、２６Ｂと平坦化フィルタ２７との間に配置され、Ｘ線伝播路中に出し入れ可能な光反射ミラー３１とこの光反射ミラー３１を介してＸ線ターゲット２４と共役な位置に配置された位置確認光Ｌｐを発する可視光源３２とを備え、可視光源３２から照射された位置確認光Ｌｐを光反射ミラー３１で反射させ上記Ｘ線と同じ方向に伝播させる。なお、図６に示すように、光反射ミラー３１が位置確認光Ｌｐを反射させる領域は、例えば細長い十字形状であり、この細長い十字形状領域Ｊで反射された位置確認光Ｌｐの光束の断面は細長い十字形状になる。
【００２６】
位置関係記録手段４０は、放射線照射部２０からのＸ線の照射および照射されるＸ線の線量の設定、可動コリメータ２６Ａ、２６Ｂの移動、放射線照射部２０からのＸ線の照射、可視光源３１の点灯、光反射ミラー３２の出し入れ等を制御信号Ｇ２の出力によって制御するコントローラ４１と、位置確認放射線Ｘｃの照射位置と位置確認光Ｌｐの照射位置との位置関係を蓄積性蛍光体パネル１０中に自動的に記録させる制御信号あるいは制御プログラム等のデータＧ１をこのコントローラ４１に出力するデータ記憶部４２とを有している。
【００２７】
次に、位置関係記録用カセッテ１５に収容された蓄積性蛍光体パネル１０に、上記光路位置ずれを記録する場合について説明する。図７は放射線照射部から位置確認放射線を照射する様子を示す拡大側面図、図８は蓄積性蛍光体パネルに記録されたＸ線および可視光の領域を示す図であり、図８（ａ）は位置確認放射線が照射された領域を示す図、図８（ｂ）は一様放射線が照射された領域を示す図、図８（ｃ）は位置確認光が照射された領域を示す図である。また、図９は放射線照射部から一様放射線を照射する様子を示す拡大側面図、図１０は確認光照射部から位置確認光を照射する様子を示す拡大側面図である。
【００２８】
まず始めに、位置関係記録用カセッテ１５に蓄積性蛍光体パネル１０を収容する。そしてベース台５の載置移動部６に上記位置関係記録用カセッテ１５載置し、載置移動部６の移動により、蓄積性蛍光体パネル１０を、放射線照射部２０からのＸ線の照射を受ける所定の位置に移動させる（図１参照）。このとき、位置関係記録用カセッテ１５のフィルタ窓１６が放射線照射部２０および確認光照射部３０の側に向くように配置される。
【００２９】
次に、データ記憶部４２から、上記光路位置ずれを蓄積性蛍光体パネル１０に自動記録する制御信号あるいは制御プログラム等のデータＧ１がコントローラ４１へ出力され、データＧ１を入力したコントローラ４１からの制御信号Ｇ２の出力により以下の動作が実行される。
【００３０】
図７に示すように、まず始めに、光反射ミラー３２が上記Ｘ線の伝播路から待避されるとともに可動コリメータ２６Ａ、２６Ｂが絞られる。その後、電子線発生源２９で発生された電子線の照射を受けたＸ線ターゲット２４からＸ線が放射される。Ｘ線ターゲット２４から放射されたＸ線は、円錐コリメータ２５、平坦化フィルタ２７、および絞られた可動コリメータ２６Ａ、２６Ｂを通って、照射範囲が絞られた位置確認放射線Ｘｃとして蓄積性蛍光体パネル１０に照射される。これにより、位置確認放射線Ｘｃが照射された、例えば太く短い十字形状の領域Ｒｃ（照射野）が蓄積性蛍光体パネル１０に記録される（図８（ａ）参照）。
【００３１】
次に、図９に示すように、光反射ミラー３２が上記Ｘ線の伝播路から待避したままの状態で、可動コリメータ２６Ａ、２６Ｂが開かれる。その後、電子線発生源２９で発生された電子線の照射を受けたＸ線ターゲット２４からＸ線が放射される。Ｘ線ターゲット２４から放射されたＸ線は、円錐コリメータ２５、平坦化フィルタ２７、および開かれた可動コリメータ２６Ａ、２６Ｂを通って一様放射線Ｘｂとして蓄積性蛍光体パネル１０に照射される。この一様放射線Ｘｂは、上記位置確認放射線Ｘｃが照射された蓄積性蛍光体パネル１０上の領域を含む範囲へ照射される。これにより、蓄積性蛍光体パネル１０上の位置確認放射線Ｘｃが照射された領域Ｒｃを含む範囲に一様放射線Ｘｂが照射され、位置確認放射線Ｘｃと一様放射線Ｘｂとが蓄積性蛍光体パネル１０に重ねて記録される。図８（ｂ）に一様放射線Ｘｂが照射された領域の一例として大きな円状の領域Ｒｂを示す。
【００３２】
次に、図１０に示すように、可動コリメータ２６Ａ、２６Ｂが開かれたままの状態で、光反射ミラー３２が上記Ｘ線の伝播路に挿入される。その後、可視光源３１が点灯される。可視光源３１から照射された位置確認光Ｌｐは、光反射ミラー３２で反射され、開かれた可動コリメータ２６Ａ、２６Ｂを通って蓄積性蛍光体パネル１０に照射される。ここで、光反射ミラー３２が位置確認光Ｌｐを反射させる領域は細長い十字形状となっているので、蓄積性蛍光体パネル１０上の位置確認光Ｌｐが照射された領域は細長い十字形状となり、この領域は位置確認放射線Ｘｃと一様放射線Ｘｂとが重ねて記録された領域と重複する領域となる。位置確認光Ｌｐが照射された蓄積性蛍光体パネル１０の上記細長い十字状の領域からはこの位置確認光Ｌｐの照射により輝尽発光光が発生し、上記位置確認放射線Ｘｃと一様放射線Ｘｂとの照射により蓄積性蛍光体パネル１０に蓄積された放射線エネルギが上記細長い十字領域から放出される。図８（ｃ）に位置確認光Ｌｐの照射により蓄積性蛍光体パネル１０から放射線エネルギが放出された上記細長い十字領域Ｒｐを示す。
【００３３】
上記動作により、位置確認放射線Ｘｃの照射位置と位置確認光Ｌｐの照射位置との位置関係が蓄積性蛍光体パネル１０中に記録される。
【００３４】
なお、位置関係記録用カセッテ１５に収容されている蓄積性蛍光体パネル１０は、可視波長領域のどの波長領域における光の照射を受けても内部に蓄積された放射線エネルギを放出するが、室内照明灯６１から発せられる照明用可視光Ｌｒはフィルタ窓１６で遮断されるので、フィルタ窓１６を透過した位置確認光Ｌｐのみによって蓄積性蛍光体パネル１０に記録された放射線エネルギが放出される。
【００３５】
この光路位置ずれが記録された蓄積性蛍光体パネル１０は、放射線像読取装置（図示は省略）に装填され上記記録された光路位置ずれを示す画像が読み取られる。図１１は蓄積性蛍光体パネルから読み取られた位置確認放射線の照射位置と位置確認光の照射位置との位置関係を表す画像を示す図である。
【００３６】
放射線像読取装置によって読み取られた光路位置ずれを示す画像は、図１１に示すように、位置確認放射線Ｘｃを示す画像Ｇｃと一様放射線Ｘｂを示す画像Ｇｂと位置確認光Ｌｐを示す画像Ｇｐとが重ねられた画像となり、位置確認放射線Ｘｃを示す画像Ｇｃの中心位置Ｖｃと位置確認光Ｌｐを示す画像Ｇｐの中心位置Ｖｐとの位置関係が上記光路位置ずれとなる。この中心位置Ｖｃと中心位置Ｖｐとの間隔で示される位置ずれ量δが予め定められた許容量Ｅ以下であるときに、確認光照射部３０から照射される位置確認光Ｌｐが位置確認放射線Ｘｃの照射位置を示すものとして使用可能であることが確認される。
【００３７】
なお、位置確認光Ｌｐを示す画像Ｇｐは位置確認放射線Ｘｃと一様放射線Ｘｂとにより蓄積性蛍光体パネルに記録された放射線像の一部が消去されて形成された画像である。
【００３８】
ここで、上記位置ずれ量δを画像処理等によって求め、この位置ずれ量δが予め定められた許容量Ｅを越えた場合に、例えばアーム部７に配置されたランプ６５の点灯等により警告を発するようにしてもよい。
【００３９】
また、位置関係記録用カセッテのフィルタ窓は、位置確認放射線、一様放射線、および位置確認光を透過させ可視波長領域中の一部の波長領域の光を遮断するものであればよいので、例えば、図１２に示すように、位置確認光Ｌｐ１が波長６２５ｎｍにピーク光強度を有する波長４９５ｎｍから７８０ｎｍの緑色から赤色に亘る光であり、室内照明灯から発せられる照明用可視光Ｌｒ１が波長４３５ｎｍにピーク光強度を有する波長３８０ｎｍから４９５ｎｍに亘るの青色の光である場合には、フィルタ窓を、上記照明用可視光Ｌｒ１の波長領域である波長３８０ｎｍから４９５ｎｍの光を遮断し、位置確認光Ｌｐ１の波長領域である波長４９５ｎｍから７８０ｎｍの光を透過させる光透過特性Ｔｆ１を有するものとすることで、上記と同様に光路位置ずれを測定することができる。
【００４０】
上記実施の形態においては、蓄積性蛍光体パネルに対して、位置確認放射線Ｘｃの照射、一様放射線Ｘｂの照射、位置確認光Ｌｐの照射をこの順で行なったが、上記照射を上記順番で行なう場合に限らず、位置確認光Ｌｐの照射を一様放射線Ｘｂの照射より後に行なうようにすれば上記照射の順番をどのように変更してもよい。例えば、一様放射線Ｘｂの照射、位置確認放射線Ｘｃの照射、位置確認光Ｌｐの照射をこの順で行なったり、一様放射線Ｘｂの照射、位置確認光Ｌｐの照射、位置確認放射線Ｘｃの照射をこの順で行なうようにしてもよい。
【００４１】
さらに、上記位置関係記録用カセッテは、所定の位置に配置された蓄積性蛍光体パネル１０に対して、位置確認放射線Ｘｃの照射後に、可視波長領域の位置確認光Ｌｐの照射を行なって、一様放射線Ｘｂの照射を行なうことなく、位置確認放射線Ｘｃの照射位置と位置確認光Ｌｐの照射位置との位置関係を蓄積性蛍光体パネル１０中に記録する際に使用されるものとし、位置確認放射線Ｘｃの少なくとも一部、および位置確認光Ｌｐの少なくとも一部を透過させ可視波長領域中の一部の波長領域の光を遮断するフィルタ窓を有するものとしても上記と同様の効果を得ることができる。この場合には、上記実施の形態における一様放射線Ｘｂの照射を行なう工程が省かれて、位置確認放射線Ｘｃの照射位置と位置確認光Ｌｐの照射位置との位置関係が蓄積性蛍光体パネル１０中に記録される。
【００４２】
すなわち、図１３（ａ）に示すように、位置確認放射線Ｘｃが照射により、太く短い十字形状の領域Ｒｃ（照射野）が蓄積性蛍光体パネル１０に記録された後、細長い十字領域Ｒｐへの位置確認光Ｌｐの照射により、上記太く短い十字形状の領域Ｒｃ中の細長い十字領域Ｒｐに含まれる領域に蓄積された放射線エネルギが放出されて（図１３（ｂ）参照）、位置確認放射線Ｘｃの照射位置と位置確認光Ｌｐの照射位置との位置関係が蓄積性蛍光体パネル１０中に記録され、この光路位置ずれが記録された蓄積性蛍光体パネル１０は、放射線像読取装置（図示は省略）に装填され上記記録された光路位置ずれを示す画像が読み取られる。
【００４３】
放射線像読取装置によって読み取られた光路位置ずれを示す画像は、図１４に示すように、位置確認放射線Ｘｃを示す画像Ｇｃと位置確認光Ｌｐを示す画像Ｇｐとが重ねられた画像となり、位置確認放射線Ｘｃを示す画像Ｇｃの中心位置Ｖｃと位置確認光Ｌｐを示す画像Ｇｐの中心位置Ｖｐとの位置関係が上記光路位置ずれとなる。この中心位置Ｖｃと中心位置Ｖｐとの間隔で示される位置ずれ量δが予め定められた許容量Ｅ以下であるときに、確認光照射部３０から照射される位置確認光Ｌｐが位置確認放射線Ｘｃの照射位置を示すものとして使用可能であることが確認される。
【００４４】
なお、上記位置関係記録用カセッテは放射線治療装置で使用する場合に限らず、放射線撮影装置等における放射線の伝播路に対する位置確認光の光路のずれ（光路位置ずれ）を記録する際にも使用することができる。
【図面の簡単な説明】
【図１】本発明の実施の形態による放射線治療装置の概略構成を示す側面図
【図２】本発明の実施の形態による位置関係記録用カセッテ
【図３】位置確認光および照明用可視光の波長領域とフィルタ窓の光透過特性との関係を示す図
【図４】放射線治療装置を用いて放射線を病巣部に照射する様子を示す側面図
【図５】放射線照射部と確認光照射部の拡大側面図
【図６】光反射ミラーが可視光を反射させる細長い十字形状領域を示す図
【図７】放射線照射部から位置確認放射線を照射する様子を示す拡大側面図
【図８】蓄積性蛍光体パネルに記録された放射線および可視光の領域を示す図
【図９】放射線照射部から一様放射線を照射する様子を示す拡大側面図
【図１０】確認光照射部から位置確認光を照射する様子を示す拡大側面図
【図１１】蓄積性蛍光体パネルから読み取られた位置確認放射線の照射位置に対する位置確認光の照射位置の位置ずれを表す画像を示す図
【図１２】他の位置確認光および照明用可視光の波長領域とフィルタ窓の光透過特性との関係を示す図
【図１３】蓄積性蛍光体パネルに記録された放射線および可視光の領域を示す図
【図１４】蓄積性蛍光体パネルから読み取られた位置確認放射線の照射位置に対する位置確認光の照射位置の位置ずれを表す画像を示す図
【符号の説明】
１０    蓄積性蛍光体パネル
１５    位置関係記録用カセッテ
１６    フィルタ窓
２０    放射線照射部
３０    確認光照射部
４０    位置関係記録手段
【図１】
2004294507.tif 000003
【図２】
2004294507.tif 000004
【図３】
2004294507.tif 000005
【図４】
2004294507.tif 000006
【図５】
2004294507.tif 000007
【図６】
2004294507.tif 000008
【図７】
2004294507.tif 000009
【図８】
2004294507.tif 000010
【図９】
2004294507.tif 000011
【図１０】
2004294507.tif 000012
【図１１】
2004294507.tif 000013
【図１２】
2004294507.tif 000014
【図１３】
2004294507.tif 000015
【図１４】
2004294507.tif 000016